(57)【要約】  多検体多成分の定量結果を一括表示する際にテーブル表示処理部（２６）は、試料情報と化合物情報とを行方向及び列方向にとった２次元状のテーブルの各セルに定量値等を配置した数値情報テーブルと、該テーブルと同じ行列配置のテーブル中の各セルに縮小したマスクロマトグラムを配置したグラフ描画テーブルとを併せて表示画面上に表示する。基準値を超えた定量値を示す試料と化合物とを組合せを見つけるために絞り込み条件が設定されると、絞り込み判定部（２５）は各セル中の定量値を判定する。テーブル表示処理部（２６）はグラフ描画テーブルにおいて、絞り込みで除外された定量値に対応するクロマトグラムを他よりも薄い色で表示（半透明表示）する。それによって、該テーブルにおける行列の関係が絞り込みによっても変化せず、絞り込みに残ったクロマトグラムが視覚上容易に把握し易くなるのみならず、試料と化合物との組合せも把握が容易になる。
2017002156.tif 000002
【特許請求の範囲】
【請求項１】
多数の試料についてそれぞれ多数の化合物の分析を行うことで得られた分析結果に基づく定量結果を含むデータを処理して出力するための分析結果出力処理装置であって、
a)試料を識別する情報と化合物を識別する情報とをそれぞれ行方向及び列方向に並べ、一つの試料と一つの化合物との組み合わせに対して得られたデータの少なくとも一部を対応する一つのセルに割り当てることで２次元状のテーブルを作成するテーブル作成部と、
b)予め設定された絞り込み条件に従って前記テーブルの各セルに割り当てられているデータを判定し、該絞り込み条件を満たすデータが割り当てられているセルを特定する絞り込み実行部と、
c)前記テーブルにおいて前記絞り込み実行部により特定されなかったセルに割り当てられているデータに基づく数値若しくは文字又はグラフによる表示を、該絞り込み実行部により特定されたセルに割り当てられているデータに基づく数値若しくは文字又はグラフによる表示に比べて薄い表示とした、前記テーブルと同じ行列配置であるテーブルを表示部の画面上に表示するため又は印刷するために出力する絞り込み反映表示処理部と、
を備えることを特徴する分析結果出力処理装置。
【請求項２】
請求項１に記載の分析結果出力処理装置であって、
前記絞り込み条件は数値の大小を判定する閾値であり、前記絞り込み反映表示処理部は、前記絞り込み実行部により特定されたセルに割り当てられているデータに基づく数値を表示する際に、使用された閾値を併せて表示することを特徴とする分析結果出力処理装置。
【請求項３】
請求項１に記載の分析結果出力処理装置であって、
前記絞り込み反映表示処理部は、各セルに割り当てられているデータに基づく数値を表示する第１テーブルと、各セルに割り当てられているデータに基づくグラフを表示する第２テーブルと、を出力するものであり、少なくとも第２テーブルにおいて、前記絞り込み実行部により特定されなかったセル中のグラフの表示を特定されたセル中のグラフの表示に比べて薄くすることを特徴とする分析結果出力処理装置。
【請求項４】
請求項１に記載の分析結果出力処理装置であって、
前記絞り込み反映表示処理部は、出力するテーブルにおいて一つの又は連続する複数の行方向の全てのセル又は一つの又は連続する複数の列方向の全てのセルが前記絞り込み実行部により特定されなかったセルである場合に、該当する一若しくは複数の行又は列を非表示にするとともに、非表示／表示を切り替える操作子をテーブル中に設けるようにしたことを特徴とする分析結果出力処理装置。
【請求項５】
多数の試料についてそれぞれ多数の化合物の分析を行うことで得られた分析結果に基づく定量結果を含むデータを処理して出力するためにコンピュータを動作させる分析結果出力処理用プログラムであって、
a)試料を識別する情報と化合物を識別する情報とをそれぞれ行方向及び列方向に並べ、一つの試料と一つの化合物との組み合わせに対して得られたデータの少なくとも一部を対応する一つのセルに割り当てることで２次元状のテーブルを作成するテーブル作成ステップと、
b)予め設定された絞り込み条件に従って前記テーブルの各セルに割り当てられているデータを判定し、該絞り込み条件を満たすデータが割り当てられているセルを特定する絞り込み実行ステップと、
c)前記テーブルにおいて前記絞り込み実行ステップにより特定されなかったセルに割り当てられているデータに基づく数値若しくは文字又はグラフによる表示を、該絞り込み実行ステップにより特定されたセルに割り当てられているデータに基づく数値若しくは文字又はグラフによる表示に比べて薄い表示とした、前記テーブルと同じ行列配置であるテーブルを表示部の画面上に表示する又は印刷出力する絞り込み反映表示処理ステップと、
をコンピュータに実行させることを特徴とする分析結果出力処理用プログラム。
【請求項６】
請求項５に記載の分析結果出力処理用プログラムであって、
前記絞り込み条件は数値の大小を判定する閾値であり、前記絞り込み反映表示処理ステップでは、前記絞り込み実行ステップにおいて特定されたセルに割り当てられているデータに基づく数値を表示する際に、使用された閾値を併せて表示することを特徴とする分析結果出力処理用プログラム。
【請求項７】
請求項５に記載の分析結果出力処理用プログラムであって、
前記絞り込み反映表示処理ステップでは、各セルに割り当てられているデータに基づく数値を表示する第１テーブルと、各セルに割り当てられているデータに基づくグラフを表示する第２テーブルと、を出力し、少なくとも第２テーブルにおいて、前記絞り込み実行ステップにおいて特定されなかったセル中のグラフの表示を特定されたセル中のグラフの表示に比べて薄くすることを特徴とする分析結果出力処理用プログラム。
【請求項８】
請求項５に記載の分析結果出力処理用プログラムであって、
前記絞り込み反映表示処理ステップでは、出力するテーブルにおいて一つの又は連続する複数の行方向の全てのセル又は一つの又は連続する複数の列方向の全てのセルが前記絞り込み実行部により特定されなかったセルである場合に、該当する一若しくは複数の行又は列を非表示にするとともに、非表示／表示を切り替える操作子をテーブル中に設けるようにしたことを特徴とする分析結果出力処理用プログラム。
【発明の詳細な説明】
【技術分野】
【０００１】
本発明は、液体クロマトグラフ、ガスクロマトグラフ、液体クロマトグラフ質量分析計、ガスクロマトグラフ質量分析計などの様々な分析装置により得られた分析結果を表示画面上に表示したり印刷出力したりするための分析結果出力処理装置及び分析結果出力処理用プログラムに関し、さらに詳しくは、多数の検体に対する多成分の定量結果やクロマトグラム等のグラフを一括して表示したり印刷出力したりするのに好適な分析結果出力処理装置及び分析結果出力処理用プログラムに関する。
【背景技術】
【０００２】
近年、食品中の残留農薬検査や環境水中の汚染物質検査など様々な分野において、液体クロマトグラフ質量分析計（ＬＣ−ＭＳ）やガスクロマトグラフ質量分析計（ＧＣ−ＭＳ）を利用した多検体多成分の定量分析が利用されている。一般に、多検体多成分の分析によって得られるデータの量は膨大である。そのため、多検体多成分の分析結果であるクロマトグラムやそれから求まるピーク検出結果や定量結果などをユーザ（分析者）が解析する際の作業効率を向上させるには、ユーザの作業手順に応じた確認が容易な形式で以てデータや分析結果を表示することが重要である。
こうした要求に応えるためのソフトウェアとして、非特許文献１、２に記載の定量支援ソフトウェアが従来製品化されている。【０００３】
例えばＬＣ−ＭＳやＧＣ−ＭＳを用いてポジティブリストに基づく残留農薬検査を実施する場合、測定対象である化合物（成分）は決まっている。そこで、ＬＣ−ＭＳやＧＣ−ＭＳにおける質量分析計では、既知である多数の測定対象化合物に対応した質量電荷比をターゲットとするＳＩＭ（選択イオンモニタリング）測定或いはＭＲＭ（多重反応イオンモニタリング）測定が、その測定対象化合物がカラムから溶出してくる保持時間付近で繰り返し実施される。したがって、試料（検体）毎にそれぞれ、多数の測定対象化合物に対するクロマトグラムデータが得られ、そのデータに基づいてピーク面積値や定量値（濃度）などが算出される。【０００４】
上記定量支援ソフトウェアによれば、行方向（横方向）に異なる試料の情報を並べ、列方向（縦方向）に異なる化合物の情報を並べた２次元テーブルの各セルに、上述のようにして得られたピーク面積値や定量値などの数値情報が配置されたテーブルが作成され、該テーブルがモニタ表示画面上に表示されるようになっている。こうしたテーブルが表示されることで、試料と測定対象化合物との組み合わせに対する定量値等の数値情報を分析者は一覧で確認することができる。また、試料毎の各測定対象化合物についてそれぞれ得られたクロマトグラム（マスクロマトグラム、抽出イオンクロマトグラム）が、数値情報のテーブルと同じマトリクス配列に従って並べられることでグラフ描画テーブルが作成され、このグラフ描画テーブルと数値情報テーブルとが並べて表示されるようになっている。これにより、或る試料中の或る測定対象化合物の定量値等の数値情報と、それに対応する実測のクロマトグラムとを一度に確認ことが容易になる。【０００５】
しかしながら、膨大な数の試料について数百以上にも及ぶ測定対象化合物に対する定量結果を一つ一つ分析者が目視で確認するのは、非常に煩雑で手間が掛かる。残留農薬検査や汚染物質検査などの場合、濃度が規制値を超えている測定対象化合物があるか否か、あるとすればそれは何であってその濃度がどの程度であるのか、といったことを調べるのが重要である。したがって、分析者が着目すべきは、定量値等の数値が基準値を超えていたり（場合によっては基準値を下回っていたり）基準値を超えてはいないもののそれに近いレベルの濃度であったりする化合物である。そこで、上記定量支援ソフトウェアには、数値情報テーブル及びグラフ描画テーブルの両方において、定量値等の数値が予め設定した基準値を超えている結果を色分けして表示したり、或いはフラグが付された結果のみを表示したりするフラッギング機能が備えられている。【０００６】
上述したようにテーブル上で分析結果を色分け表示することで、分析者はそれぞれの分析結果が基準を満たしたものか（規制範囲内であるか）或いは基準を満たさないものかを容易に判断することができる。しかしながら、こうした色分け表示では、その分析結果がどのような色で表示されているのかということを分析者が判断するため、本来着目する必要がない情報にも注意が向けられてしまうことになり、作業効率の改善効果が小さい。また、グラフ描画テーブルにおいては、例えば定量値が基準値を超える化合物に対するクロマトグラムを特定の色の矩形状の枠で囲むことで他と識別し易いようにしているが、同じ色の枠が付されたクロマトグラムの数が多くなると、その枠が付されたクロマトグラムと枠が付されていないクロマトグラムとが視覚上認識しにくくなり、分析者の判断ミスを誘発し易くなる。【０００７】
一方、フラグが付されていない結果を削除してフラグが付されている結果のみを表示しようとした場合、数値情報テーブルやグラフ描画テーブルにおいて各行又は各列の要素数が同じでなくなる。こうした状態で、テーブル上で間引かれた要素の位置へ残っている要素を詰めてしまうと、元のテーブル上で保たれていたマトリクスの関係が崩れてしまい、試料と化合物の組み合わせが不明確になる。一方、テーブルのマトリクスの関係を維持したままフラグが付されていない結果を削除すると、その試料についてその化合物が検出されなかったのか、何らかの要因で適切な結果が得られなかったのか、或いは、フラグが付されていないために表示されないだけなのか、一目では理解しにくい。【０００８】
さらにまた、上記定量支援ソフトウェアによる表示では、分析者が数値情報テーブルを見て或る試料における或る化合物の定量値が基準値を超えていることが把握できても、その基準値がいくつであるのかは分からない。定量値を判定する基準値が一つである場合にはそれほど支障はないものの、基準値が複数段階に設定されている場合には、どの基準値を超えているのかが即座に分からないと不便であることが多い。
【先行技術文献】
【非特許文献】
【０００９】
【非特許文献１】「LabSolutions Insight  GCMS用多検体定量支援ソフトウェア」、［online］、株式会社島津製作所、［２０１５年６月１１日検索］、インターネット＜URL： http://www.an.shimadzu.co.jp/gcms/insight.htm＞
【非特許文献２】「GCMS用多検体定量支援ソフトウェア  LabSolutions Insight」カタログ、株式会社島津製作所分析計測事業部
【発明の概要】
【発明が解決しようとする課題】
【００１０】
本発明は上記課題に鑑みて成されたものであり、その主たる目的は、多検体多成分の分析結果等のデータを表示したり印刷出力したりする際に、分析者が着目すべき数値情報やグラフを効率的に確認することができるとともに、そうした情報に基づく判断や検証を的確に行えるようにすることができる分析結果出力処理装置、及びコンピュータ上で動作する分析結果出力処理用プログラムを提供することにある。
【課題を解決するための手段】
【００１１】
上記課題を解決するためになされた本発明に係る分析結果出力処理装置は、多数の試料についてそれぞれ多数の化合物の分析を行うことで得られた分析結果に基づく定量結果を含むデータを処理して出力するための分析結果出力処理装置であって、
a)試料を識別する情報と化合物を識別する情報とをそれぞれ行方向及び列方向に並べ、一つの試料と一つの化合物との組み合わせに対して得られたデータの少なくとも一部を対応する一つのセルに割り当てることで２次元状のテーブルを作成するテーブル作成部と、
b)予め設定された絞り込み条件に従って前記テーブルの各セルに割り当てられているデータを判定し、該絞り込み条件を満たすデータが割り当てられているセルを特定する絞り込み実行部と、
c)前記テーブルにおいて前記絞り込み実行部により特定されなかったセルに割り当てられているデータに基づく数値若しくは文字又はグラフによる表示を、該絞り込み実行部により特定されたセルに割り当てられているデータに基づく数値若しくは文字又はグラフによる表示に比べて薄い表示とした、前記テーブルと同じ行列配置であるテーブルを表示部の画面上に表示するため又は印刷するために出力する絞り込み反映表示処理部と、
を備えることを特徴としている。【００１２】
また上記課題を解決するためになされた本発明に係る分析結果出力処理用プログラムは、多数の試料についてそれぞれ多数の化合物の分析を行うことで得られた分析結果に基づく定量結果を含むデータを処理して出力するためにコンピュータを動作させる分析結果出力処理用プログラムであって、
a)試料を識別する情報と化合物を識別する情報とをそれぞれ行方向及び列方向に並べ、一つの試料と一つの化合物との組み合わせに対して得られたデータの少なくとも一部を対応する一つのセルに割り当てることで２次元状のテーブルを作成するテーブル作成ステップと、
b)予め設定された絞り込み条件に従って前記テーブルの各セルに割り当てられているデータを判定し、該絞り込み条件を満たすデータが割り当てられているセルを特定する絞り込み実行ステップと、
c)前記テーブルにおいて前記絞り込み実行ステップにより特定されなかったセルに割り当てられているデータに基づく数値若しくは文字又はグラフによる表示を、該絞り込み実行ステップにより特定されたセルに割り当てられているデータに基づく数値若しくは文字又はグラフによる表示に比べて薄い表示とした、前記テーブルと同じ行列配置であるテーブルを表示部の画面上に表示するため又は印刷するために出力する絞り込み反映表示処理ステップと、
をコンピュータに実行させることを特徴としている。【００１３】
ここで、多数の試料についてそれぞれ多数の化合物の分析を行う、つまり多検体多成分の分析を行うための分析装置の種類は特に問わないが、典型的な例としては、上述した、液体クロマトグラフ、ガスクロマトグラフ、液体クロマトグラフ質量分析計、ガスクロマトグラフ質量分析計などである。【００１４】
本発明に係る分析結果出力処理用プログラムをコンピュータで動作させることで具現化される本発明に係る分析結果出力処理装置において、テーブル作成部は例えば、多数の各試料について化合物毎に得られた定量値（濃度値やピーク面積値など）を、試料と化合物との組み合わせに対応したセルに割り当ててテーブルを作成する。ただし、このテーブルは必ずしも表示されるものではなく、データ処理の過程で仮想的に作成されるものであってもよい。絞り込み実行部は例えば分析者により予め設定された絞り込み条件やそれに関連したパラメータを記憶しておき、その絞り込み条件に従って上記テーブルの各セルに割り当てられているデータを判定して、その絞り込み条件を満たすデータが割り当てられているセルを特定する。例えば上述した残留農薬検査のように規制値を上回る化合物が重要である場合には、予め定めた閾値を超えることを絞り込み条件とすればよい。【００１５】
絞り込み反映表示処理部は、絞り込み実行部により特定されなかった、つまりは絞り込みに残らなかったセルに割り当てられている定量値等の数値やグラフによる表示を、該絞り込み実行部により特定された、つまりは絞り込みに残ったセルに割り当てられている定量値等の数値やグラフによる表示に比べて薄い表示としたテーブルを表示部の画面上に表示するため又は印刷するために出力する。ここでいう「薄い表示」とはコンピュータの表示部の画面上では通常、背景が透けて見える半透明の表示である。【００１６】
本発明に係る分析結果出力処理装置では、絞り込み条件に従った絞り込みに残った定量値等の数値やグラフは通常通りの明瞭なフォントや線などで表示され、絞り込みで除外された定量値等の数値やグラフは明瞭性が劣る半透明等のフォントや線などで表示される。このとき、絞り込みによって残るか否かに拘わらず、表示されるテーブルの行列は絞り込みがされていない元のテーブルと同じに保たれる。したがって、分析者は表示されたテーブルを見て、絞り込みに残った、具体的には例えば定量値が基準となる閾値を超えた試料と化合物との組み合わせを容易に把握することができる。【００１７】
本発明に係る分析結果出力処理装置の一態様として、上記絞り込み条件は数値の大小を判定する閾値であり、上記絞り込み反映表示処理部は、上記絞り込み実行部により特定されたセルに割り当てられているデータに基づく数値を表示する際に、使用された閾値を併せて表示する構成とするとよい。【００１８】
この構成によれば、数値判定に使用された閾値が一目で確認できるので、例えば定量値が閾値に対してどの程度超えているのかを容易に把握することができる。また、閾値の設定誤りなどを見つけるのも簡単である。【００１９】
また本発明に係る分析結果出力処理装置では、上記絞り込み反映表示処理部は、各セルに割り当てられているデータに基づく数値を表示する第１テーブルと、各セルに割り当てられているデータに基づくグラフを表示する第２テーブルと、を出力するものであり、少なくとも第２テーブルにおいて、上記絞り込み実行部により特定されなかったセル中のグラフの表示を特定されたセル中のグラフの表示に比べて薄くする構成としてもよい。【００２０】
この構成では、例えば、基準となる閾値を超えた定量値を算出する際に用いられたピークが観測されるクロマトグラムが第２テーブルにおいて明瞭に示され、それ以外のクロマトグラムは薄い表示となる。即ち、例えば、ピーク形状が適切であるか、他のピークの重なりはないか、等の確認が必要となるクロマトグラムのみが明瞭に示されるとともに、そのクロマトグラムがいずれの試料といずれの化合物との組み合わせに対応するものであるのかが一目で分かるので、分析者は効率的に確認作業を進めることができる。【００２１】
また本発明に係る分析結果出力処理装置において、表示部の画面上に表示されるテーブル中で薄く表示される数値やグラフなどは、通常、分析者による確認が不要な情報である。そこで、本発明に係る分析結果出力処理装置では、好ましくは、上記絞り込み反映表示処理部は、出力するテーブルにおいて一つの又は連続する複数の行方向の全てのセル又は一つの又は連続する複数の列方向の全てのセルが上記絞り込み実行部により特定されなかったセルである場合に、該当する一若しくは複数の行又は列を非表示にするとともに、非表示／表示を切り替える操作子をテーブル中に設ける構成とするとよい。【００２２】
一般に、残留農薬検査や汚染物質検査などにおいては、多数の測定対象化合物の中で規制値を超える化合物があったとしても、その数は測定対象化合物の総数に比べればごく僅かである。そのため、こうした検査に本発明に係る分析結果出力処理装置を利用した場合、表示されるテーブル中の大部分のセル内の数値やグラフは薄く表示されることになる。上記構成によれば、こうした場合、多くの行や列が非表示となるために表示されるテーブルは小さくなり、閾値を超える定量値やその定量値が得られる試料と化合物との組み合わせを容易に見つけることができる。
【発明の効果】
【００２３】
以上のように本発明に係る分析結果出力処理装置及び分析結果出力処理用プログラムによれば、多検体多成分の分析の結果を、例えば定量値が基準値を超える試料と化合物との組み合わせに絞り込んで表示する場合でも、表示されるテーブルの行と列の関係はその絞り込みによっても保たれ、絞り込みによって除かれた定量結果等は絞り込みに残った定量結果とは明瞭に且つ一目で識別可能となる。したがって、分析者は解析すべき又は着目すべき数値やグラフ、或いは試料と化合物との組み合わせを容易に把握することができ、定量結果の解析作業の効率化を図ることができる。また、そうした解析作業における判断や評価のミスも起こりにくくなる。
【図面の簡単な説明】
【００２４】
【図１】本発明に係る分析結果出力処理装置を用いたＧＣ−ＭＳ分析システムの一実施例の概略構成図。
【図２】本実施例のＧＣ−ＭＳ分析システムにおいて表示される数値情報テーブル及びグラフ描画テーブルの枠及び項目を示す図。
【図３】本実施例のＧＣ−ＭＳ分析システムにおいて数値情報テーブルの作成及び表示処理の説明図。
【図４】本実施例のＧＣ−ＭＳ分析システムにおける数値情報テーブルの作成及び表示処理の説明図。
【図５】本実施例のＧＣ−ＭＳ分析システムにおけるグラフ描画テーブルの作成及び表示処理の説明図。
【図６】本実施例のＧＣ−ＭＳ分析システムにおけるグラフ描画テーブルの作成及び表示処理の説明図。
【図７】本実施例のＧＣ−ＭＳ分析システムにおけるグラフ描画テーブルの作成及び表示処理の説明図。
【図８】本実施例のＧＣ−ＭＳ分析システムにおける数値情報テーブルの印刷用出力処理の説明図。
【図９】本実施例のＧＣ−ＭＳ分析システムにおける数値情報テーブルの印刷用出力処理の説明図。
【図１０】本実施例のＧＣ−ＭＳ分析システムにおける数値情報テーブルの印刷用出力処理の説明図。
【発明を実施するための形態】
【００２５】
以下、本発明に係る分析結果出力処理装置を用いたＧＣ−ＭＳ分析システムの一実施例について、添付図面を参照して説明する。図１は本実施例によるＧＣ−ＭＳ分析システムの概略構成図である。
【００２６】
このＧＣ−ＭＳ分析システムは、試料（検体）に含まれる化合物を時間的に分離するガスクロマトグラフ（ＧＣ）と化合物を検出する質量分析装置（ＭＳ）とが接続されたＧＣ−ＭＳ測定部１と、ＧＣ−ＭＳ測定部１で得られたデータを処理するデータ処理部２と、データ処理部２における処理に必要なパラメータ等を分析者が入力するための入力部３と、データ処理部２における処理の結果が表示される表示部４と、データ処理部２における処理の結果が印刷出力される印刷部５と、を備える。
【００２７】
データ処理部２は、データ格納部２０、定量解析部２１、数値情報テーブル作成部２２、グラフ描画テーブル作成部２３、絞り込み条件記憶部２４、絞り込み判定部２５、テーブル表示処理部２６、テーブル出力処理部２７、などの機能ブロックを含む。このデータ処理部２の実体はパーソナルコンピュータ（或いはより高性能なワークステーション）であり、コンピュータに予めインストールされた専用の処理プログラムを該コンピュータで実行することによって具現化される機能である。
【００２８】
ここでは、ポジティブリストに従った残留農薬検査のように、予め決められた複数の化合物の定量分析を行う場合を例に挙げて、本実施例のＧＣ−ＭＳ分析システムにおける特徴的な動作を説明する。こうした定量分析では、ＧＣ−ＭＳ測定部１における測定対象の化合物は既知であるから、その既知の化合物が質量分析装置に導入される時間付近、つまりはその化合物の保持時間付近の所定の時間範囲でその化合物に対応した質量電荷比m/zにおけるＳＩＭ測定を実行するように質量分析装置における分析条件が設定される。また、質量分析装置がタンデム四重極型質量分析装置である場合には、その化合物に対応した特徴的なプリカーサイオンの質量電荷比とプロダクトイオンの質量電荷比との組み合わせ（ＭＲＭトランジション）におけるＭＲＭ測定を実行するように分析条件が設定される。したがって、ＧＣ−ＭＳ測定部１において一つの試料を測定すると、複数の測定対象化合物それぞれについて、所定の時間範囲に亘る所定の質量電荷比（又は所定のＭＲＭトランジション）におけるイオン強度の時間的な変化を示す測定データが得られる。この測定データはデータ格納部２０に保存される。このとき、試料に付与されたサンプル名や測定対象化合物の名称などの分析に関連する情報も併せて保存される。
【００２９】
定量解析部２１は、データ格納部２０に保存された測定データに基づいて定量値（濃度値）を算出する。具体的には、測定データに基づき、測定対象化合物毎にマスクロマトグラムを作成し、該化合物に対応する保持時間付近に現れるピークを検出して面積値（又は高さ値）を求める。そして、標準品を測定した結果に基づいて予め作成しておいた検量線を参照して、面積値から定量値を導出する。そうして算出された定量値やその過程で求まったピークの面積値や高さ値、さらには検出されたピークトップの位置から求まる保持時間などの情報を測定データに対応付けて又は測定データと同じファイル若しくはフォルダに格納する。なお、定量解析部２１による解析処理は、全ての試料についての測定が終了したあとにバッチ的に実行されてもよいし、試料の測定中に逐次的に実行されてもよい。
【００３０】
いずれにしても、多数の試料を含む一つの試料群に対する多数の化合物の定量解析が終了すると、データ格納部２０にはその試料群に対する大量の測定データ、定量結果等が格納された状態となる。こうした定量結果等を分析者自身が確認して評価を行う際には、例えば定量値が基準値を外れた化合物を迅速に見つけ、その化合物について得られたクロマトグラムピークが適切であるか否か、或いはそのピークの開始点や終了点、ベースラインが適切であるか否か等についての判断を行う必要がある。そこで、特に、分析者が確認すべき、着目すべき、試料と化合物との組み合わせに対する定量値等の数値や得られたクロマトグラム等を分かり易く示すために、以下に述べるような特徴的な表示や印刷出力を行う。
【００３１】
分析者が入力部３から、上述した一つの試料群における定量結果を一括して表示する指示を行うと、数値情報テーブル作成部２２はデータ格納部２０から読み出したデータに基づいて、図２に示すように試料情報を横方向に化合物情報を縦方向にとった行列状のテーブルを作成し、その各セルに、試料と化合物との組み合わせに対する定量値などのデータを割り当てる。テーブル表示処理部２６はこうした行列状の数値情報テーブルを表示部４の画面上に表示する。
【００３２】
ここでは、全てのデータや情報を個々の試料に関連付けられるものと、個々の化合物に関連付けられるものとの二つの分類に分けておく。本例では、試料特有のデータや情報、例えば、サンプル名、サンプル種類（例えば標準試料、未知試料など）、測定日時、測定者などを試料に関連付けられる（試料の属性を持つ）データとしておく。また、化合物特有のデータや情報、例えば化合物名、保持時間、定量イオン（定量に利用されるイオンの質量電荷比）、ピークの面積値（又は高さ値）、定量値（濃度値）などを化合物に関連付けられる（化合物の属性を持つ）データとしておく。この場合、一つの試料中の一つの化合物についてのデータは、化合物の属性を持つデータと試料の属性を持つデータとが混在したものとなる。
【００３３】
図３（ａ）は、Prop An（n＝1,2,3）が試料、Prop Bm（m＝1,2,3）が化合物であるときに、数値情報テーブルの各セルに割り当てられるデータを示した図である。Ｖan1、Ｖan2は試料の属性を持つデータ、Ｖbm1、Ｖbm2は化合物の属性を持つデータである。この例では、数値情報テーブルの各セルにはそれぞれ四つのデータが割り当てられている。図３（ａ）に示した行列状のテーブルは、図３（ｂ）に示すように、試料毎のテーブルと化合物毎のテーブルとに分けて表示することが可能であり、試料毎のテーブル上の各行はそれぞれ一つの化合物毎のテーブルに関連付けられることになる。図３（ｂ）は、試料毎のテーブルの最上位の行（試料：Prop A1）が指定されたときに表示される化合物毎のテーブルの例である。このように試料毎のテーブル上で分析者がサンプル名を指定し、それに対応して表示される化合物毎のテーブルにおいて各化合物の定量値などを精査するようにすることができる。
なお、テーブルの各セルに割り当てられているデータの中で全てがテーブル中で表示されるわけではなく、分析者が指定した任意の項目、例えば定量値のみを表示することが可能である。
【００３４】
特定の条件を満足するデータのみを確認したい場合、分析者は入力部３から、確認すべき項目を他と識別するための絞り込みの条件を入力設定する。例えば、定量値が基準値を超えているものについて確認したい場合には、定量値がその基準値を超えたものが絞り込みに残るように条件を設定すればよい。もちろん、化合物毎に異なる基準値を設定したり、試料毎に基準値を設定したりすることもできる。また、定量値のみならず、ピーク面積値など他の数値情報について絞り込み条件を設定することができるし、さらには、サンプル名称や化合物名称などの文字情報についても絞り込み条件を設定し、例えば特定の文字列がサンプル名称に含まれるものは絞り込みで除外する又は逆に絞り込みで残すようにすることもできる。入力された絞り込み条件は絞り込み条件記憶部２４に格納される。
【００３５】
いま一例として、図３において試料：Prop A1における化合物：Prop B3のデータ：Ｖb31が絞り込みで除外されるような絞り込み条件が設定されたものとする。絞り込み判定部２５は絞り込み条件に従ってそれぞれの数値を判定する。この場合、図４（ａ）に示すように、化合物毎のテーブルにおいて×で示したデータのみが判定結果による除外対象である。こうした絞り込みが実施されると、テーブル表示処理部２６は試料：Prop A1における化合物：Prop B3のデータが表示不要であると判断し、試料毎のテーブルで最上位行（つまりは試料：Prop A1）が選択されたときには、化合物毎のテーブルにおいて化合物：Prop B3の行を削除した表示を行う（図４（ｂ１）参照）。一方、試料毎のテーブルで２行目（つまりは試料：Prop A2）が選択されたときには、化合物毎のテーブルにおいて化合物：Prop B3の行を含む全ての化合物に対応したデータを表示する（図４（ｂ２）参照）
【００３６】
グラフ描画テーブル作成部２３は、数値情報テーブル作成部２２において作成された行列状のテーブルと同じ行列の配列となるように、得られたクロマトグラムの縮小画像を配置したグラフ描画テーブルを作成する。例えば図３（ａ）に示したように数値情報テーブルを３行３列とする場合には、グラフ描画テーブルも３行３列とする。図５は、こうして作成した数値情報テーブル及びグラフ描画テーブルを表示部４の画面上に表示したときの模式図である。このように二つのテーブルの行列を合わせておくことで、試料と化合物との組み合わせの対応関係が分かり易く、例えば或る定量値が得られた元となったクロマトグラムを容易に確認することができる。
【００３７】
上述したように、定量値などについての絞り込み条件に従って試料と化合物との組み合わせを除外すると、確認が必要であるセルの数が少なくなるものの、本実施例のシステムでは、グラフ描画テーブルのセルの数、つまりは要素の数は変更せず、その代わりに、絞り込みによって除外された数値情報に対応するグラフ（クロマトグラム）を薄い色で表示（実際には半透明表示）するように表示を変更する。図６は、試料：Prop A1に対しては化合物：Prop B1が、試料：Prop A2に対しては化合物：Prop B1及びProp B2が、試料：Prop A3に対しては化合物：Prop B3が、それぞれ絞り込みによって残った場合に表示されるグラフ描画テーブルである。このようにして、絞り込みに残ったグラフと絞り込みで除外されたグラフとを一目で把握することができるとともに、試料と化合物とのどの組み合わせが絞り込みで残ったのかを容易に認識することができる。
【００３８】
図７は、一つの試料当たりの測定対象化合物の数がさらに多い（この例では６個）場合のグラフ描画テーブルの表示の例である。図７（ａ）に示すように、この例では、化合物：Prop B4及びProp B5の二つは、三つの試料ともに絞り込みによって除外されていて、グラフは薄い色の表示になっている。この場合、このグラフ描画テーブル上で、化合物：Prop B4及びProp B5に対応する２行は分析者が確認する必要がない。そこで、図７（ｂ）に示すように、それら行を表示する代わりに、それら行が非表示であることを示すとともに非表示／表示を切り替える「＋／−」ボタンを設けるようにしてもよい。図７（ｂ）では「＋／−」ボタンが「＋」の表示となっており、この表示によって分析者は、行数は不明であるものの非表示の行が存在することを認識することができる。その行を確認したい場合には、「＋／−」ボタンをマウス等のポインティングデバイスでクリック操作すると、その表示は図７（ａ）に示すように切り替わり、全ての行が表示されることになる。
なお、この例では行単位で１又は複数の行を非表示にしていたが、列についても同様に、列単位で１又は複数の列を非表示にすることができる。
【００３９】
なお、ここでは、絞り込みによって除外されたグラフを薄い色の表示に変更していたが、絞り込みを有効にしても、絞り込みによって除外される値やグラフが絞り込みで残る数値やグラフと同様に表示される「必ず表示」プロパティを設定できるようにしたり、数値やグラフなどを薄く表示する場合にその濃淡を任意に設定できるようにしてもよい。
【００４０】
上述したように、表示部４の画面上に表示する際には、絞り込みに残ったデータのみを分析者が効率良く確認する必要があるので、上述したように、絞り込みで除外されたデータを非表示にしたり或いは明瞭性の劣る薄い表示色で表示したりするようにしていたが、報告書を作成するために定量結果を印刷出力するような場合には、絞り込みで除外されたデータも十分に視認可能な形式で印刷されるように出力することが好ましい。そこで、本実施例のシステムにおいてテーブル出力処理部２７はテーブル表示処理部２６とは異なる処理を実施する。
【００４１】
試料と化合物との組み合わせに対応する定量値を示す数値情報テーブルの印刷出力例を図８〜図１０に示す。
図８の例では、定量値を判定する閾値は１００であり、定量値が１００以上であるものが基準値を外れている。つまり、着目すべきなのは定量値が１００以上である項目である。ここでは、閾値未満である定量値についてはその数値を示さずに「＜１００」との文字のみを示している。一方、閾値以上の定量値についてはその数値を示している。このように絞り込みの閾値を超えた定量値の数値のみを表示することで、絞り込みで残った値に分析者や報告書を読んだ者が注目するように仕向けることができる。また、閾値未満の定量値については「＜１００」という表示を行うことで、閾値の値自体を示すことができる。なお、印刷出力時の絞り込み条件は画面表示の際の絞り込み条件とは別に設定することで、より柔軟な印刷出力が可能になるようにしてもよい。
【００４２】
図９の例は、絞り込みのための閾値を２段階に設定した場合の印刷出力の例である。また図１０は図９に加え、閾値を括弧（）内に示した例である。ここでは、閾値を限界値と限界値には達しないものの注意を要する注意値との２段階とし、定量値が限界値を超えていることを定量値の数値のあとに付した「Ｌ」の文字で表し、定量値が注意値を超えていることを定量値の数値のあとに付した「Ｒ」の文字で表している。また、その「Ｌ」、「Ｒ」の文字の上付き表示は上限値、下付き表示は下限値を表す。即ち、この例では、限界値及び注意値を、上限と下限のそれぞれで指定できるようになっている。なお、このように閾値に対する上又は下を特定の文字の付加の有無で示す代わりに、定量値を示すフォントの相違などで表してもよい。
【００４３】
なお、図８〜図１０等で示した出力例を印刷の際だけでなく、表示部４の画面上に数値情報テーブルを表示する際にも利用してもよい。また、図６に示したような、絞り込みによって除外された情報を薄い色で表示する手法を数値情報テーブルを表示する際にも利用してもよい。
【００４４】
また、上記実施例は本発明をＧＣ−ＭＳに適用したものであるが、本発明はＧＣ−ＭＳのみならず、ＬＣ、ＧＣ、ＬＣ−ＭＳ、或いはそれ以外の様々な分析装置で得られたデータの処理に適用できることは明らかである。特に、多検体多成分の分析によって得られたデータを処理する場合であって、その中で試料と化合物との特定の組み合わせにおける定量値等の数値情報とそれに対応するグラフとを目視で確認したり評価したりしたい場合に本発明は有効である。
【００４５】
また、上記実施例や各種の変形例はいずれも本発明の一例にすぎず、本発明の趣旨に沿った範囲でさらに適宜変形や修正、追加を行っても本願特許請求の範囲に包含されることは明らかである。
【符号の説明】
【００４６】
１…ＧＣ−ＭＳ測定部
２…データ処理部
２０…データ格納部
２１…定量解析部
２２…数値情報テーブル作成部
２３…グラフ描画テーブル作成部
２４…絞り込み条件記憶部
２５…絞り込み判定部
２６…テーブル表示処理部
２７…テーブル出力処理部
３…入力部
４…表示部
５…印刷部
【図１】
2017002156.tif 000003
【図２】
2017002156.tif 000004
【図３】
2017002156.tif 000005
【図４】
2017002156.tif 000006
【図５】
2017002156.tif 000007
【図６】
2017002156.tif 000008
【図７】
2017002156.tif 000009
【図８】
2017002156.tif 000010
【図９】
2017002156.tif 000011
【図１０】
2017002156.tif 000012
【国際調査報告】
2017002156.tif 000013
2017002156.tif 000014
2017002156.tif 000015
2017002156.tif 000016